(57)【要約】【課題】携帯式の歯間ブラシと楊枝の合体装置の提供。【解決手段】歯間ブラシと楊枝の合体ユニット（２０）が容器ケース（１０）の縦長凹溝（１１）内に収容され、歯間ブラシ（２１）と楊枝部（２６）が対応する貫通孔（１３０，１４０）に収容され、歯間ブラシを使用する時は、ただ手押部（２３）に施力して左向きに押動させれば、歯間ブラシが容器ケース（１０）の左端より突出し、楊枝を使用する時は、ただ手押部（２３）を右に押動すれば楊枝が容器ケース（１０）の右端より突出し、不使用時には手押部（２３）を容器ケース（１０）の中間位置におけば合体ユニット（２０）の両端がいずれも容器ケース（１０）内に縮入する。【選択図】　　　　図２
2004113701.tif 000002
【特許請求の範囲】
【請求項１】
携帯式の歯間ブラシと楊枝の合体装置において、
容器ケース（１０）と合体ユニット（２０）を具え、
該容器ケース（１０）は偏平で長形の中空ケース体とされ、該中空ケース体内に、該中空ケース体より短い縦長凹溝（１１）が設けられ、該縦長凹溝（１１）の深さが容器ケース（１０）の幅より小さく、容器ケース（１０）の両端に縦長凹溝（１１）と連通する貫通孔（１３０，１４０）が設けられ、
該合体ユニット（２０）は、中間部分に設けられると共に手で押動される手押部（２３）、手押部（２３）の左端に一体に連設されて左端に向けて延伸された第１本体（２２）、第１本体（２２）と一体に形成された歯間ブラシ（２１）、手押部（２３）の右端に一体に連設されて右端に向けて延伸された第２本体（２５）、及び第２本体（２５）に一体に連設された楊枝部（２６）で組成され、
該合体ユニット（２０）が容器ケース（１０）の縦長凹溝（１１）内に収容され、歯間ブラシ（２１）と楊枝部（２６）が対応する貫通孔（１３０，１４０）に収容され、歯間ブラシを使用する時は、ただ手押部（２３）に施力して左向きに押動させれば、歯間ブラシが容器ケース（１０）の左端より突出し、楊枝を使用する時は、ただ手押部（２３）を右に押動すれば楊枝が容器ケース（１０）の右端より突出し、不使用時には手押部（２３）を容器ケース（１０）の中間位置におけば合体ユニット（２０）の両端がいずれも容器ケース（１０）内に縮入することを特徴とする、携帯式の歯間ブラシと楊枝の合体装置。
【請求項２】
請求項１に記載の携帯式の歯間ブラシと楊枝の合体装置において、縦長凹溝（１１）の第１表面に中間係止突起（１１４）、左係止突起（１１３）、右係止突起（１１５）が設けられたことを特徴とする、携帯式の歯間ブラシと楊枝の合体装置。
【請求項３】
請求項１に記載の携帯式の歯間ブラシと楊枝の合体装置において、縦長凹溝（１１）の底部に中間凸レール（１１０）が設けられたことを特徴とする、携帯式の歯間ブラシと楊枝の合体装置。
【請求項４】
請求項１に記載の携帯式の歯間ブラシと楊枝の合体装置において、手押部（２３）の中間部分に１本の係止溝（２４）が設けられたことを特徴とする、携帯式の歯間ブラシと楊枝の合体装置。
【請求項５】
請求項３に記載の携帯式の歯間ブラシと楊枝の合体装置において、手押部（２３）の中間部分の高さが容器ケース（１０）よりやや高く、且つその底部が中間凸レール（１１０）上をスライド自在とされたことを特徴とする、携帯式の歯間ブラシと楊枝の合体装置。
【請求項６】
携帯式の歯間ブラシと楊枝の合体装置において、
容器ケース（３０）及び歯間ブラシと楊枝の合体ユニット（４０）を具え、
該歯間ブラシと楊枝の合体ユニット（４０）が、歯間ブラシ本体（４２）と楊枝本体（４５）を具え、歯間ブラシ本体（４２）の内端に固定ブロック体（４３）が設けられ、歯間ブラシ本体（４２）の外端に一体に歯間ブラシ（４１）が設けられ、楊枝本体（４５）の内端に固定ブロック体（４４）が設けられ、楊枝本体（４２）の外端に、内端よりその幅と厚さが漸次縮小されて形成された尖った薄い楊枝部（４６）が形成され、
該容器ケース（３０）は第１半体（３１Ａ）及び第２半体（３１Ｂ）を係合雄部（３０３）と係合雌部（３０２）の係合を利用し合併させてなり、該第１半体（３１Ａ）と第２半体（３１Ｂ）は歯間ブラシの伸出に供される第１貫通孔（３２）、楊枝の伸出に供される第２貫通孔（３３）、歯間ブラシ本体を収容する第１凹部（３４）、楊枝本体を収容する第２凹部（３５）、歯間ブラシの固定ブロック体（４３）を収容すると共に歯間ブラシを該容器ケース（３０）内に縮入させる第１固定凹部空間（３７）、楊枝の固定ブロック体（４４）を収容すると共に楊枝を該容器ケース（３０）内に縮入させる第２固定凹部空間（３８）、歯間ブラシの固定ブロック体（４３）を収容すると共に歯間ブラシを容器ケース（３０）外に突出させる第３固定凹部空間（３６）、楊枝の固定ブロック体（４４）を収容すると共に該容器ケース（３０）外に突出させる第４固定凹部空間（３９）を具え、
歯間ブラシと楊枝が不使用の収納状態の時、該歯間ブラシの固定ブロック（４３）と該楊枝の固定ブロック（４３）がそれぞれ第１固定凹部空間（３７）及び第２固定凹部空間（３８）内に置かれ、さらに容器ケース（３０）の第１半体（３１Ａ）と第２半体（３１Ｂ）が係合雄部（３０３）と係合雌部（３０２）の係合を利用し閉じ合わされれた後、使用待機状態を形成することを特徴とする、携帯式の歯間ブラシと楊枝の合体装置。
【請求項７】
請求項６に記載の携帯式の歯間ブラシと楊枝の合体装置において、第１凹部（３４）と第２凹部（３５）間に半体隔板（３０１Ａ）と半体隔板（３０１Ｂ）で組成された隔板（３０１）が設けられたことを特徴とする、携帯式の歯間ブラシと楊枝の合体装置。
【請求項８】
請求項６に記載の携帯式の歯間ブラシと楊枝の合体装置において、容器ケース（３０）が、第２半体（３１Ｂ）の半体隔板（３０１Ｂ）の両側に位置する第１対の中心ストッパブロック（３７Ｂ−３７Ｂ）及び第２対の中心ストッパブロック（３８Ｂ−３８Ｂ）を具え、第２半体（３１Ｂ）の半体隔板（３０１Ｂ）と第１対の中心ストッパブロック（３７Ｂ−３７Ｂ）の間に第１固定凹部空間（３７）が形成されたことを特徴とする、携帯式の歯間ブラシと楊枝の合体装置。
【請求項９】
請求項６に記載の携帯式の歯間ブラシと楊枝の合体装置において、第２固定凹部空間（３８）が第２半体（３１Ｂ）の半体隔板（３０１Ｂ）と第２対の中心ストッパブロック（３８Ｂ−３８Ｂ）の間に形成されたことを特徴とする、携帯式の歯間ブラシと楊枝の合体装置。
【請求項１０】
請求項６に記載の携帯式の歯間ブラシと楊枝の合体装置において、第３固定凹部空間（３６）が第２半体（３１Ｂ）にあって第１貫通孔半体（３２Ｂ）と第３対のストッパブロック（３６Ｂ−３６Ｂ）の間に形成されたことを特徴とする、携帯式の歯間ブラシと楊枝の合体装置。
【請求項１１】
請求項６に記載の携帯式の歯間ブラシと楊枝の合体装置において、第４固定凹部空間（３９）が第２半体（３１Ｂ）にあって、第３貫通孔半体（３４Ｂ）と第４対のストッパブロック（３９Ｂ−３９Ｂ）の間に形成されたことを特徴とする、携帯式の歯間ブラシと楊枝の合体装置。
【請求項１２】
請求項６に記載の携帯式の歯間ブラシと楊枝の合体装置において、歯間ブラシ（４１）を使用する時、容器ケース（３０）を開けて、歯間ブラシ（４１）の固定ブロック体（４３）を第１固定凹部空間（３７）より第３固定凹部空間（３６）に移動させ、さらに容器ケース（３０）を止め合わせれば、歯間ブラシを使用できる状態となり、楊枝部（４６）を使用する時は、歯間ブラシ（４１）をもとの位置に戻し、楊枝の固定ブロック体（４４）を第２固定凹部空間（３８）より第４固定凹部空間（３９）に移動させ、さらに容器ケース（３０）を止め合わせれば、楊枝を使用できる状態となり、使用後に楊枝をもとの位置に戻し、ゆえにただ容器ケース（３０）を開けて、歯間ブラシ及び又は楊枝の固定ブロックを第３固定凹部空間及び第４固定凹部空間に置いて、さらに容器ケース（３０）を止め合わせれば歯間ブラシと楊枝を使用できることを特徴とする、携帯式の歯間ブラシと楊枝の合体装置。
【請求項１３】
携帯式の歯間ブラシと楊枝の合体装置において、合体ユニット（５０）とキャップ（５３）を具え、そのうち、該合体ユニット（５０）の第１端（５１）に歯間ブラシ本体（５２）が設置され、第２端が合体ユニット本体に内縮する楊枝部（６０）を具え、該楊枝部（６０）が手押部（６１）、楊枝本体（６３）、楊枝（６４）を具え、合体ユニット（５０）の第２端内に楊枝本体（６３）をその内部で自由にスライドさせる凹部（５５）が設けられると共に、楊枝本体（６３）を使用時に位置決めする手段が設けられ、使用後に楊枝を内向きに押して凹部（５５）内に収容でき、キャップ（５３）を取り外せば歯間ブラシを使用でき、歯間ブラシ不使用時にはキャップ（５３）で蓋をすればよく、楊枝を使用する時は、ただ手押部（６１）を右向きに押せば、楊枝が第２端の貫通孔（５５２）の外部に突出することを特徴とする、携帯式の歯間ブラシと楊枝の合体装置。
【請求項１４】
請求項１３に記載の携帯式の歯間ブラシと楊枝の合体装置において、合体ユニット（５０）の第２端に貫通孔（５５２）が設けられ、貫通孔（５５２）の上方に係止ストッパ部（５５３）が設けられ、凹部（５５）の貫通孔（５５２）に接近する部分に係止凹口（５５１）が設けられ、楊枝の手押部（６１）が係止ストッパ部（５５３）に当接する時、係止凸部（６２）が凹部（５５）の係止凹口（５５１）内に係合し、楊枝本体（６３）が係止位置決めされた使用状態を形成することを特徴とする、携帯式の歯間ブラシと楊枝の合体装置。
【請求項１５】
請求項１３に記載の携帯式の歯間ブラシと楊枝の合体装置において、楊枝部（６０）が手押部（６１）、手押部（６１）の下方に設けられた係止凸部（６２）を具えたことを特徴とする、携帯式の歯間ブラシと楊枝の合体装置。
【発明の詳細な説明】
【０００１】
【発明の属する技術分野】
本発明は携帯式の歯のクリーニング器具に係り、特に携帯式の歯間ブラシと楊枝の合体装置に関する。
【０００２】
【従来の技術】
食物を摂取した後、口腔内には細かい食物が残留し、特に歯間に詰まるため、楊枝や歯間ブラシで掃除する必要がある。しかし、楊枝はどこにでもある訳ではなく、一般に家の中やレストランでなければ取得できない。しかしレストランに置いてある楊枝は多くの人が触るため、その衛生条件はあまり良好ではない。さらにほとんどの楊枝は竹を削ってなり、竹製の楊枝が包装前に徹底的に洗浄と消毒されているかどうかは疑わしく、市場で販売されている楊枝はその衛生条件が満足のいくものではない。
【０００３】
歯間の隙間が比較的大きい者、特に年長者にあっては、歯間の掃除に歯間ブラシは不可欠の工具となっている。歯間ブラシは細いステンレス糸と毛を縒り合わせてなり、一定の剛性強度を有し、歯間に詰まった食物の掃除に用いられる。歯間ブラシは折れ曲がったり切断されやすいため、口腔クリーニング時には、楊枝の先で初期の歯間掃除を行ってから歯間ブラシを使用し、歯間の刷洗作業を行うのが比較的合理的である。しかし、楊枝と歯間ブラシは家の中で別々に置かれているため、使用上不便である。しかし、楊枝と歯間ブラシの構造形態はそれぞれ異なり、両者を強制的に同一空間位置に置こうとしても、その収容空間及び設置が困難で、家の外の場所での使用に不便となり、特に運送工具に搭載して食事後の口腔クリーニングに使用する場合は更に困難が倍増し、これが克服のできない難題とされている。
【０００４】
【発明が解決しようとする課題】
本発明の主要な目的は、周知の口腔クリーニングにおける上述の困難を突破できる、一種の歯間ブラシと楊枝の合体装置を提供することにあり、それは、歯間ブラシと楊枝を結合させて一体となして、携帯できる口腔クリーニング工具となし、食事後に即刻口腔クリーニング作業を行うのに便利としたものとする。
【０００５】
本発明のもう一つの目的は、一種の携帯式の歯間ブラシと楊枝の合体装置を提供することにあり、それは、合体装置の全体形態がコンパクトで、身につけて携帯するのに便利であり、運送工具上で食品を摂取した後に即刻口腔クリーニングに使用でき、口腔内及び歯牙の良好な衛生を保持するのに役立つものとする。
【０００６】
本発明のまた一つの目的は、一種の携帯式の歯間ブラシと楊枝の合体装置を提供することにあり、それは、歯間ブラシと楊枝を合体させると共にそれぞれ本体の両端に設けて、使用上、非常に便利としたものとする。
【０００７】
本発明のさらに一つの目的は、一種の携帯式の歯間ブラシと楊枝の合体装置を提供することにあり、それは、合体装置を容器ケースに収容並びに保持して閉合して保護し、極めて衛生的としたものとする。
【０００８】
【課題を解決するための手段】
請求項１の発明は、携帯式の歯間ブラシと楊枝の合体装置において、
容器ケース（１０）と合体ユニット（２０）を具え、
該容器ケース（１０）は偏平で長形の中空ケース体とされ、該中空ケース体内に、該中空ケース体より短い縦長凹溝（１１）が設けられ、該縦長凹溝（１１）の深さが容器ケース（１０）の幅より小さく、容器ケース（１０）の両端に縦長凹溝（１１）と連通する貫通孔（１３０，１４０）が設けられ、
該合体ユニット（２０）は、中間部分に設けられると共に手で押動される手押部（２３）、手押部（２３）の左端に一体に連設されて左端に向けて延伸された第１本体（２２）、第１本体（２２）と一体に形成された歯間ブラシ（２１）、手押部（２３）の右端に一体に連設されて右端に向けて延伸された第２本体（２５）、及び第２本体（２５）に一体に連設された楊枝部（２６）で組成され、
該合体ユニット（２０）が容器ケース（１０）の縦長凹溝（１１）内に収容され、歯間ブラシ（２１）と楊枝部（２６）が対応する貫通孔（１３０，１４０）に収容され、歯間ブラシを使用する時は、ただ手押部（２３）に施力して左向きに押動させれば、歯間ブラシが容器ケース（１０）の左端より突出し、楊枝を使用する時は、ただ手押部（２３）を右に押動すれば楊枝が容器ケース（１０）の右端より突出し、不使用時には手押部（２３）を容器ケース（１０）の中間位置におけば合体ユニット（２０）の両端がいずれも容器ケース（１０）内に縮入することを特徴とする、携帯式の歯間ブラシと楊枝の合体装置としている。
請求項２の発明は、請求項１に記載の携帯式の歯間ブラシと楊枝の合体装置において、縦長凹溝（１１）の第１表面に中間係止突起（１１４）、左係止突起（１１３）、右係止突起（１１５）が設けられたことを特徴とする、携帯式の歯間ブラシと楊枝の合体装置としている。
請求項３の発明は、請求項１に記載の携帯式の歯間ブラシと楊枝の合体装置において、縦長凹溝（１１）の底部に中間凸レール（１１０）が設けられたことを特徴とする、携帯式の歯間ブラシと楊枝の合体装置としている。
請求項４の発明は、請求項１に記載の携帯式の歯間ブラシと楊枝の合体装置において、手押部（２３）の中間部分に１本の係止溝（２４）が設けられたことを特徴とする、携帯式の歯間ブラシと楊枝の合体装置としている。
請求項５の発明は、請求項３に記載の携帯式の歯間ブラシと楊枝の合体装置において、手押部（２３）の中間部分の高さが容器ケース（１０）よりやや高く、且つその底部が中間凸レール（１１０）上をスライド自在とされたことを特徴とする、携帯式の歯間ブラシと楊枝の合体装置としている。
請求項６の発明は、携帯式の歯間ブラシと楊枝の合体装置において、
容器ケース（３０）及び歯間ブラシと楊枝の合体ユニット（４０）を具え、
該歯間ブラシと楊枝の合体ユニット（４０）が、歯間ブラシ本体（４２）と楊枝本体（４５）を具え、歯間ブラシ本体（４２）の内端に固定ブロック体（４３）が設けられ、歯間ブラシ本体（４２）の外端に一体に歯間ブラシ（４１）が設けられ、楊枝本体（４５）の内端に固定ブロック体（４４）が設けられ、楊枝本体（４２）の外端に、内端よりその幅と厚さが漸次縮小されて形成された尖った薄い楊枝部（４６）が形成され、
該容器ケース（３０）は第１半体（３１Ａ）及び第２半体（３１Ｂ）を係合雄部（３０３）と係合雌部（３０２）の係合を利用し合併させてなり、該第１半体（３１Ａ）と第２半体（３１Ｂ）は歯間ブラシの伸出に供される第１貫通孔（３２）、楊枝の伸出に供される第２貫通孔（３３）、歯間ブラシ本体を収容する第１凹部（３４）、楊枝本体を収容する第２凹部（３５）、歯間ブラシの固定ブロック体（４３）を収容すると共に歯間ブラシを該容器ケース（３０）内に縮入させる第１固定凹部空間（３７）、楊枝の固定ブロック体（４４）を収容すると共に楊枝を該容器ケース（３０）内に縮入させる第２固定凹部空間（３８）、歯間ブラシの固定ブロック体（４３）を収容すると共に歯間ブラシを容器ケース（３０）外に突出させる第３固定凹部空間（３６）、楊枝の固定ブロック体（４４）を収容すると共に該容器ケース（３０）外に突出させる第４固定凹部空間（３９）を具え、
歯間ブラシと楊枝が不使用の収納状態の時、該歯間ブラシの固定ブロック（４３）と該楊枝の固定ブロック（４３）がそれぞれ第１固定凹部空間（３７）及び第２固定凹部空間（３８）内に置かれ、さらに容器ケース（３０）の第１半体（３１Ａ）と第２半体（３１Ｂ）が係合雄部（３０３）と係合雌部（３０２）の係合を利用し閉じ合わされれた後、使用待機状態を形成することを特徴とする、携帯式の歯間ブラシと楊枝の合体装置としている。
請求項７の発明は、請求項６に記載の携帯式の歯間ブラシと楊枝の合体装置において、第１凹部（３４）と第２凹部（３５）間に半体隔板（３０１Ａ）と半体隔板（３０１Ｂ）で組成された隔板（３０１）が設けられたことを特徴とする、携帯式の歯間ブラシと楊枝の合体装置としている。
請求項８の発明は、請求項６に記載の携帯式の歯間ブラシと楊枝の合体装置において、容器ケース（３０）が、第２半体（３１Ｂ）の半体隔板（３０１Ｂ）の両側に位置する第１対の中心ストッパブロック（３７Ｂ−３７Ｂ）及び第２対の中心ストッパブロック（３８Ｂ−３８Ｂ）を具え、第２半体（３１Ｂ）の半体隔板（３０１Ｂ）と第１対の中心ストッパブロック（３７Ｂ−３７Ｂ）の間に第１固定凹部空間（３７）が形成されたことを特徴とする、携帯式の歯間ブラシと楊枝の合体装置としている。
請求項９の発明は、請求項６に記載の携帯式の歯間ブラシと楊枝の合体装置において、第２固定凹部空間（３８）が第２半体（３１Ｂ）の半体隔板（３０１Ｂ）と第２対の中心ストッパブロック（３８Ｂ−３８Ｂ）の間に形成されたことを特徴とする、携帯式の歯間ブラシと楊枝の合体装置としている。
請求項１０の発明は、請求項６に記載の携帯式の歯間ブラシと楊枝の合体装置において、第３固定凹部空間（３６）が第２半体（３１Ｂ）にあって第１貫通孔半体（３２Ｂ）と第３対のストッパブロック（３６Ｂ−３６Ｂ）の間に形成されたことを特徴とする、携帯式の歯間ブラシと楊枝の合体装置としている。
請求項１１の発明は、請求項６に記載の携帯式の歯間ブラシと楊枝の合体装置において、第４固定凹部空間（３９）が第２半体（３１Ｂ）にあって、第３貫通孔半体（３４Ｂ）と第４対のストッパブロック（３９Ｂ−３９Ｂ）の間に形成されたことを特徴とする、携帯式の歯間ブラシと楊枝の合体装置としている。
請求項１２の発明は、請求項６に記載の携帯式の歯間ブラシと楊枝の合体装置において、歯間ブラシ（４１）を使用する時、容器ケース（３０）を開けて、歯間ブラシ（４１）の固定ブロック体（４３）を第１固定凹部空間（３７）より第３固定凹部空間（３６）に移動させ、さらに容器ケース（３０）を止め合わせれば、歯間ブラシを使用できる状態となり、楊枝部（４６）を使用する時は、歯間ブラシ（４１）をもとの位置に戻し、楊枝の固定ブロック体（４４）を第２固定凹部空間（３８）より第４固定凹部空間（３９）に移動させ、さらに容器ケース（３０）を止め合わせれば、楊枝を使用できる状態となり、使用後に楊枝をもとの位置に戻し、ゆえにただ容器ケース（３０）を開けて、歯間ブラシ及び又は楊枝の固定ブロックを第３固定凹部空間及び第４固定凹部空間に置いて、さらに容器ケース（３０）を止め合わせれば歯間ブラシと楊枝を使用できることを特徴とする、携帯式の歯間ブラシと楊枝の合体装置としている。
請求項１３の発明は、携帯式の歯間ブラシと楊枝の合体装置において、合体ユニット（５０）とキャップ（５３）を具え、そのうち、該合体ユニット（５０）の第１端（５１）に歯間ブラシ本体（５２）が設置され、第２端が合体ユニット本体に内縮する楊枝部（６０）を具え、該楊枝部（６０）が手押部（６１）、楊枝本体（６３）、楊枝（６４）を具え、合体ユニット（５０）の第２端内に楊枝本体（６３）をその内部で自由にスライドさせる凹部（５５）が設けられると共に、楊枝本体（６３）を使用時に位置決めする手段が設けられ、使用後に楊枝を内向きに押して凹部（５５）内に収容でき、キャップ（５３）を取り外せば歯間ブラシを使用でき、歯間ブラシ不使用時にはキャップ（５３）で蓋をすればよく、楊枝を使用する時は、ただ手押部（６１）を右向きに押せば、楊枝が第２端の貫通孔（５５２）の外部に突出することを特徴とする、携帯式の歯間ブラシと楊枝の合体装置としている。
請求項１４の発明は、請求項１３に記載の携帯式の歯間ブラシと楊枝の合体装置において、合体ユニット（５０）の第２端に貫通孔（５５２）が設けられ、貫通孔（５５２）の上方に係止ストッパ部（５５３）が設けられ、凹部（５５）の貫通孔（５５２）に接近する部分に係止凹口（５５１）が設けられ、楊枝の手押部（６１）が係止ストッパ部（５５３）に当接する時、係止凸部（６２）が凹部（５５）の係止凹口（５５１）内に係合し、楊枝本体（６３）が係止位置決めされた使用状態を形成することを特徴とする、携帯式の歯間ブラシと楊枝の合体装置としている。
請求項１５の発明は、請求項１３に記載の携帯式の歯間ブラシと楊枝の合体装置において、楊枝部（６０）が手押部（６１）、手押部（６１）の下方に設けられた係止凸部（６２）を具えたことを特徴とする、携帯式の歯間ブラシと楊枝の合体装置としている。
【０００９】
【発明の実施の形態】
本発明は、容器ケースと合体ユニットを具え、該容器ケースは偏平な長形中空箱体とされ、該箱体が第１端と第２端、第１表面、第２表面、第３表面及び第４表面を具え、第１表面に第１表面より短い縦長の凹溝が設けられ、この凹溝の深さが第２表面の幅より小さく、第１端及び第２端にそれぞれ貫通孔が設けられて凹溝と連通する。該合体ユニットは中間部分に設けられると共に手で押動される手押部、該手押部の左端に一体に連設されて左端に向けて延伸された第１本体、本体と一体に形成された歯間ブラシ、手押部の右端に一体に連設されて右端に向けて延伸された第２本体、及び第２本体に一体に連設された楊枝部で組成されている。これにより、歯間ブラシを使用する時は、ただ手押部を僅かに力を入れて左向きに押動させれば、歯間ブラシが容器ケースの左端より伸出し、楊枝を使用したい時は、右向きに押動させれば、楊枝が容器ケースの右端より突出し、不使用時にはただ手押部を容器ケースの中間位置におけば、両端がいずれも容器ケース内に縮入する。
【００１０】
【実施例】
図１から図１０は本発明の第１実施例の携帯式の歯間ブラシと楊枝の合体装置（以下合体装置と称する）の構成を詳細に説明する図である。図１、図２に示されるように、本発明の合体装置は、容器ケース１０と合体ユニット２０を具え、該容器ケース１０は偏平で長形の中空ケース体とされ、該ケース体が、第１端１３と第２端１４、第１表面１５、第２表面１７、第３表面１６及び第４表面１８を具え、第１表面１５に第１表面より短い縦長凹溝１１が設けられ、この縦長凹溝１１の深さが第２表面１７の幅より小さく、第１端１３及び第２端１４にそれぞれ貫通孔１３０と１４０が設けられて縦長凹溝１１と連通する。図５及び図１０に示されるように、該縦長凹溝１１の第１内表面に中間係止突起１１４、左係止突起１１３、右係止突起１１５が設けられている。図９に示されるように、該縦長凹溝１１の底部に中間凸レール１１０が設けられ、図５から図７に示されるように、貫通孔１３０、１４０の口径寸法はやや縦長凹溝１１の幅より小さい。合体ユニット２０は図２に示されるように、中間部分に設けられると共に手で押動される手押部２３、該手押部２３の中間に設けられた１本の係止溝２４、手押部２３の左端に一体に連設されて左端に向けて延伸された第１本体２２、第１本体２２と一体に形成された歯間ブラシ２１、手押部２３の右端に一体に連設されて右端に向けて延伸された第２本体２５、及び第２本体２５に一体に連設された楊枝部２６で組成されている。
【００１１】
原則上、手押部２３の厚さは容器ケース１０の縦長凹溝１１の幅と同じかそれよりやや小さく、且つ手押部２３の底部の一部分が中間凸レール１１０上をスライド可能とされ、手押部２３と縦長凹溝１１の摩擦抵抗が減らされ、手押部２３が順調に縦長凹溝１１内を自在にスライドするものとされ、これは図５から図７に示されるとおりである。
【００１２】
組立時には、図２及び図５に示される合体ユニット２０の楊枝部２６の一端を先に縦長凹溝１１内に取り付けると共に貫通孔１４０を貫通させ、且つ手押部２３をほぼ中間係止突起１１４に対応する位置に置けば、第１本体２２上の歯間ブラシ２１が縦長凹溝１１より貫通孔１３０内に進入し、これは図５に示されるとおりである。このとき、手押部２３の係止溝２４がちょうど中間係止突起１１４に係止されて合体ユニット２０がちょうど中間位置に係止され、これは図５、８、図１０に示されるとおりである。
【００１３】
歯間ブラシを使用したい時は、ただ手押部２３を左に押動させれば、中間係止突起１１４が係止溝２４と分離し、歯間ブラシ２１が容器ケース１０の左端より突出し、これは図３及び図６に示されるとおりであり、反対にもし右に押動すれば、楊枝が容器ケース１０の右端より進出し、これは図４、６に示されるとおりであり、歯間ブラシ２１と楊枝部２６が合体ユニット２０の両端に設けられているため、使用時にはただ一端を伸出させればよく、不使用時には両端をいずれも容器ケース１０内に縮入させられ、携帯及び使用のいずれにも便利である。
【００１４】
本発明の第２実施例は図１１から図１６に示され、それは、容器ケース３０及び歯間ブラシと楊枝の合体ユニット４０を具えている。そのうち、容器ケース３０は第１半体３１Ａ及び第２半体３１Ｂを係合雄部３０３と係合雌部３０２の係合により合併させて一つとしてなり、該第１半体３１Ａと第２半体３１Ｂは歯間ブラシの伸出に供される第１貫通孔３２（半体３２Ａと半体３２Ｂにより合成）、楊枝の伸出に供される第２貫通孔３３（半体３３Ａと半体３３Ｂにより合成）、歯間ブラシ本体を収容する第１凹部３４（半体３４Ａと半体３４Ｂにより合成）、楊枝本体を収容する第２凹部３５（半体３５Ａと半体３５Ｂにより合成）、第１凹部３４と第２凹部３５間の隔板３０１（半体隔板３０１Ａと半体隔板３０１Ｂにより合成）、第２半体３１Ｂの半体隔板３０１Ｂの両側にそれぞれ設けられた第１対の中心ストッパブロック３７Ｂ−３７Ｂ及び第２対の中心ストッパブロック３８Ｂ−３８Ｂを具えている。第２半体３１Ｂの半体隔板３０１Ｂと第１対の中心ストッパブロック３７Ｂ−３７Ｂの間に第１固定凹部空間３７が形成され、第２半体３１Ｂの半体隔板３０１Ｂと第２対の中心ストッパブロック３８Ｂ−３８Ｂの間に第２固定凹部空間３８が形成さえている。また、二つの第２半体３１Ｂにあって第１貫通孔半体３２Ｂに接近する位置に第３対のストッパブロック３６Ｂが設けられている。同様に、第２半体３１Ｂにあって第２貫通孔半体３３Ｂに接近する位置に第４対のストッパブロック３９Ｂ−３９Ｂが設けられている。これにより第２貫通孔半体３３Ｂと第４対のストッパブロック３９Ｂ−３９Ｂの間に第４固定凹部空間３９が形成されている。本実施例中、歯間ブラシと楊枝の合体ユニット４０は歯間ブラシ本体４２及び楊枝本体４５がそれぞれ形成され、該歯間ブラシ本体４２の内端に固定ブロック体４３があり、歯間ブラシ本体４２の外端に歯間ブラシ４１が一体に設置され、楊枝本体４５の内端にも固定ブロック体４４が設けられ、楊枝本体４５の外端に、内端より漸次その幅が縮小されて尖った薄い楊枝部４６が形成されている。図から分かるように、該歯間ブラシ４１の固定ブロック体４３と楊枝部４６の固定ブロック体４４の内側面４３１、４４１は隔板３０１の平面に接合され、ゆえに歯間ブラシと楊枝の不使用時の収容状態が提供され、該歯間ブラシの固定ブロック体４３と楊枝の固定ブロック体４４がそれぞれ第１固定凹部空間３７及び第２固定凹部空間３８内に置かれ、すなわち図１２に示されるように反対位置に組み合わせられ、容器ケース３０の二つの半体３１Ａ及び３１Ｂが係合雄部３０３と係合雌部３０２の係合後に、図１１に示されるように閉じ合わされて使用に待機する。
【００１５】
歯間ブラシ４１を使用したい時は、容器ケース３０を開けて、歯間ブラシ４１の固定ブロック体４３を第１固定凹部空間３７より第３固定凹部空間に移動させ、図１３に示される状態となし、さらに容器ケース３０を上述の方式で止め合わせれば、図１４に示されるように歯間ブラシを使用できる状態となる。同様に、楊枝部４６を使用したい時は、歯間ブラシ４１をもとの位置に戻し、楊枝の固定ブロック体４４を図１５に示されるように、第２固定凹部空間３８より第４固定凹部空間３９に移動させ、さらに容器ケース３０を上述の方式により閉じ合わせれば、図１６に示されるように楊枝を使用できる状態となる。使用後には図１１に示されるように楊枝をもとの位置に戻す。ゆえに本実施例の歯間ブラシと楊枝は、ただ容器ケース３０を開けて、歯間ブラシ及び又は楊枝の固定ブロックを第３及び第４固定凹部空間に置いて、さらに容器ケースを係合により閉じ合わせれば使用でき、操作が簡便で衛生的であり、且つ保存、携帯に便利で、携帯式の実用的な歯間ブラシと楊枝の合体装置とされる。
【００１６】
本発明の第３実施例は図１７から図１９に示され、歯間ブラシと楊枝の合体装置は合体ユニット５０とキャップ５３を具え、そのうち、該合体ユニット５０の第１端５１に歯間ブラシ本体５２が設置され、第２端が合体ユニット本体に内縮する楊枝部６０を具え、該楊枝部６０が手押部６１、手押部６１下方の係止凸部６２、楊枝本体６３、楊枝６４、及び手押部６１前方の係止溝６５を具え、合体ユニットの第２端内に楊枝本体６３をその内部で自由にスライドさせる凹部５５が設けられ、該凹部５５の端部に貫通孔５５２が設けられ、上方に係止ストッパ部５５３が設けられて係止溝６５内に係止可能とされ、該凹部５５の貫通孔５５２に接近する部分に係止凹口５５１が設けられて楊枝の手押部６１の係止溝６５が係止ストッパ部５５３に当接する時に、該係止凸部６２がちょうど凹部５５の係止凹口５５１内に係止され、楊枝本体６３が位置決めされて使用に供される。使用後には洗浄後に図１７に示されるように楊枝を内向きに押して凹部５５内に収容できる。本実施例の歯間ブラシと楊枝の合体装置の外観は万年筆に類似しポケットに挿入でき、キャップ５３を取り外せば歯間ブラシを使用でき、不使用時にはキャップ５３で蓋をすればよく、楊枝を使用する時は、ただ手押部６１を右向きに押し出せば、楊枝が第２端の貫通孔５５２の外部に突出し、ゆえに本実施例は使用上及び携帯上、極めて便利で実用的である。
【００１７】
【発明の効果】
総合すると、本発明は歯間ブラシと楊枝の合体ユニット及び容器ケース或いはキャップの手段が結合され一体とされ、並びに容器ケースで収容保護され、極めて衛生的で携帯使用に便利とされ、外出時に食物を摂取した後の口腔クリーニング作業に便利であり、間接的に口腔の衛生保養に役立ち、歯牙の使用年限を延長する。ゆえに本発明は口腔衛生クリーニングの技術ネックを突破し、現代の高齢化が進む社会にあって簡単に口腔衛生保養の目的を達成する。ゆえに本発明は特許の要件に符合するものである。
【図面の簡単な説明】
【図１】本発明の第１実施例の外観立体図である。
【図２】本発明の第１実施例の立体分解図である。
【図３】本発明の第１実施例の第１使用状態の立体表示図である。
【図４】本発明の第１実施例の第２使用状態の立体表示図である。
【図５】図１の５−５線縦断面図である。
【図６】図３の６−６線縦断面図である。
【図７】図４の７−７線縦断面図である。
【図８】図５の局部拡大図である。
【図９】図５の９−９線横断面図である。
【図１０】図５の１０−１０線横断面図である。
【図１１】本発明の第２実施例の外観立体図である。
【図１２】本発明の第２実施例の立体分解図である。
【図１３】本発明の第２実施例の第１使用状態の容器を開いた状態の立体図である。
【図１４】本発明の第２実施例の第１使用状態の立体外観図である。
【図１５】本発明の第２実施例の第２使用状態の容器を開いた状態の立体図である。
【図１６】本発明の第２実施例の第２使用状態の立体外観図である。
【図１７】本発明の第３実施例の立体外観図である。
【図１８】本発明の第３実施例の第１使用状態の立体表示図である。
【図１９】本発明の第３実施例の第２使用状態の断面表示図である。
【符号の説明】
１０　容器ケース　　　　　１１　縦長凹溝
１１０　中間凸レール　　　　　１１３　左係止突起
１１４　中間係止突起　　　１１５　右係止突起
１３　第１端　　　　　　　１３０、１４０　貫通孔
１４　第２端　　　　　　　１５　第１表面
１６　第３表面　　　　　　１７　第２表面
１８　第４表面　　　　　　２０　合体ユニット
２１　歯間ブラシ　　　　　２２　第１本体
２３　手押部　　　　　　　２４　係止溝
２５　第２本体　　　　２６　楊枝部
３０　容器ケース　　　　　３１Ｂ　第２半体
３１Ａ　第１半体　　　　　３０１　隔板
３０１Ａ、３０１Ｂ　半体隔板　３０２　係合雌部
３０３　係合雄部　　　　　　　３２　第１貫通孔
３２Ａ〜３５Ａ、３２Ｂ〜３５Ｂ　半体　　　３３　第２貫通孔
３４　第１凹部　　　　　　　　３５　第２凹部
３７　第１固定凹部空間　　　　３９　第４固定凹部空間
３８　第２固定凹部空間　　　　４０　楊枝合体ユニット
４２　歯間ブラシ本体　　　　　４３、４４　固定ブロック体
４３１、４４１　内側面　　　　４５　楊枝本体
４６　楊枝部　　　　　　　　　５０　合体ユニット
５１　第１端　　　　　　　　　５２　歯間ブラシ
５３　キャップ　　　　　　　　５５　凹部
５５１　係止凹口　　　　　　　５５２　貫通孔
５５３　係止ストッパ部　　　　６０　楊枝部
６１　手押部　　　　　　　　　６２　係止凸部
６３　楊枝本体　　　　　　　　６４　楊枝
【図１】
2004113701.tif 000003
【図２】
2004113701.tif 000004
【図３】
2004113701.tif 000005
【図４】
2004113701.tif 000006
【図５】
2004113701.tif 000007
【図６】
2004113701.tif 000008
【図７】
2004113701.tif 000009
【図８】
2004113701.tif 000010
【図９】
2004113701.tif 000011
【図１０】
2004113701.tif 000012
【図１１】
2004113701.tif 000013
【図１２】
2004113701.tif 000014
【図１３】
2004113701.tif 000015
【図１４】
2004113701.tif 000016
【図１５】
2004113701.tif 000017
【図１６】
2004113701.tif 000018
【図１７】
2004113701.tif 000019
【図１８】
2004113701.tif 000020
【図１９】
2004113701.tif 000021